(57)【要約】【課題】レチクルの角度を所望のように調整することのできる眼幅調整機能付き光学機器を提供すること。【解決手段】接眼光学系１１を装備した接眼光学部１０Ａと対物光学系１３を装備した対物光学部１２とを有する一対の鏡筒２Ａ及び２Ｂと、これらを支持する支持体３とを備え、支持体３を中心軸として少なくとも一方の鏡筒が回動可能に構成されて成る眼幅調整機能付き光学機器であって、回動可能な少なくとも一方の鏡筒に設けられた接眼光学部は、レクチル２０と、レクチル２０を収納し、接眼光学系１１の光軸２Ｃを中心軸としてレクチル２０を回動させるレクチル回動手段４０と、前記光軸回転方向に回動自在に設けられ、レクチル回動手段４０に係合してレクチル回動手段４０を回動するレクチル回動操作手段７０とを備えて成ることを特徴とする眼幅調整機能付き光学機器１。【選択図】          図１
2007212497.tif 000002
【特許請求の範囲】
【請求項１】
接眼光学系を装備した接眼光学部及び対物光学系を装備した対物光学部それぞれを有する一対の鏡筒と、前記一対の鏡筒を支持する支持体とを備え、前記支持体を中心軸として少なくとも一方の鏡筒が回動可能に構成されて成る眼幅調整機能付き光学機器であって、
回動可能な少なくとも一方の前記鏡筒に設けられた接眼光学部は、
レチクルと、
前記レチクルを収納し、前記接眼光学系の光軸を中心軸として前記レチクルを回動させるレチクル回動手段と、
前記光軸を中心軸として回動自在に設けられ、前記レチクル回動手段に係合して前記レチクル回動手段を回動するレチクル回動操作手段とを備えて成ることを特徴とする眼幅調整機能付き光学機器。
【請求項２】
前記レチクル回動手段は、
前記接眼光学系を内部に収納すると共に前記レチクルを装着し、前記光軸を中心軸として回動可能な接眼内筒と、
前記接眼内筒の前記回動を所定の回転量に規制する接眼内筒回動規制手段を有するところの、前記接眼内筒を内部に収納し、前記光軸回転方向に回動不能な接眼外筒と、
前記接眼内筒に設けられ、前記接眼内筒及び前記レチクル回動操作手段を係合する係合手段とを備えて成ることを特徴とする請求項１に記載の眼幅調整機能付き光学機器。
【請求項３】
前記接眼内筒は、
前記レチクルを収納し、前記係合手段を備えた第１の接眼内筒と、前記接眼光学系を内部に収納し、外周面に、接眼光学系移動手段を有する第２の接眼内筒とを備え、
前記接眼外筒は、その内周面に前記接眼光学系移動手段と協働する接眼光学系移動手段を有し、前記光軸を中心軸として回動自在に前記第１の接眼内筒を収納し、かつ、前記光軸を中心軸として回動自在及び前記光軸方向に前後進可能に前記第２の接眼内筒を収納して成ることを特徴とする請求項２に記載の眼幅調整機能付き光学機器。
【請求項４】
前記接眼光学部は、
前記レチクル回動操作手段が前記光軸方向に前後進可能に装着され、かつ、
前記レチクル回動操作手段及び前記接眼外筒の間に前記レチクル回動操作手段と一体になって前記光軸方向に前後進可能に装着され、前記レチクル回動操作手段の回動を不能にするレチクル回動不能手段を有するレチクル回動不能操作手段と、
前記レチクル回動不能手段と所定の間隔を置いて設けられ、前記レチクル回動不能手段と係止する不能手段係止部を有する係止手段とを備えて成ることを特徴とする請求項１〜３のいずれか１項に記載の眼幅調整機能付き光学機器。
【請求項５】
前記眼幅調整機能付き光学機器は、センターフォーカス型双眼鏡又は接眼単独繰り出し型双眼鏡であることを特徴とする請求項１〜４のいずれか1項に記載の眼幅調整機能付き光学機器。
【発明の詳細な説明】
【技術分野】
【０００１】
本発明は、眼幅調整機能付き光学機器に関し、さらに詳しくは、レチクルの角度を所望のように調整することのできる眼幅調整機能付き光学機器に関する。
【背景技術】
【０００２】
光学機器、例えば、スチルカメラ、ビデオカメラ、双眼鏡等には、必要に応じて、目的対象物の長さ、及び／又は、目的対象物までの距離を測定することのできるレチクルを装着したレチクル付光学機器がある。このレチクルは、例えば、図７に示されるように、樹脂又はガラス製薄板等に、目的対象物までの距離が１０００ｍである場合に、その地点における１ｍが１単位に相当するように、直交する目盛り線が刻まれ、光学機器内の所定の位置、例えば、接眼レンズの焦点位置等に、固定されている。
【０００３】
また、光学機器には、一対の鏡筒を備え、使用者の両目間距離（眼幅）に合わせて、一対の鏡筒間距離、すなわち、各鏡筒の光軸間距離を調整することのできる眼幅調整機能付き光学機器がある（例えば、特許文献１参照）。眼幅調整機能は、特許文献１に記載の双眼鏡のように、一対の鏡筒の光軸を水平方向に相対的に平行移動するスライドタイプと、一対の鏡筒の間に設けた回転軸を中心として一対の鏡筒を回転させる回転タイプがある。これらの眼幅調整機能付き光学機器においても、必要に応じて、レチクルが装着される。
【０００４】
しかし、回転タイプの眼幅調整機能を備えた光学機器は、使用者の眼幅に合わせて一対の鏡筒を所望のように回転して鏡筒間距離を調整するのであるから、鏡筒に固定されたレチクルは、個体差のある使用者の眼幅に合わせて所望のように回転された鏡筒と共に回転し、それに伴って、水平目盛り及び垂直目盛りの方向も回転し、その結果、レチクル目盛りの方向が使用時における水平方向及び垂直方向に正確に対応しないという問題がある。
【０００５】
また、光学機器を用いて観察等される目的対象物は、必ずしも水平方向及び垂直方向にあるわけではなく、例えば、所定の角度で水平面から傾斜していることもある。したがって、レチクルの水平目盛り及び／又は垂直目盛りは、傾斜した目的対象物に一致しないという問題もある。
【０００６】
このような問題を有する眼幅調整機能付き光学機器においては、レチクルの水平目盛り及び／又は垂直目盛りが使用時における水平方向及び垂直方向又は目的対象物に正確に一致していないから、目的対象物の長さ、及び／又は、目的対象物までの距離を測定するレチクルの機能が十分に発揮されず、測定された目的対象物の長さ、目的対象物までの距離が不正確になる。また、このような問題を有する眼幅調整機能付き光学機器を用いて、目的対象物の長さ、目的対象物までの距離を正確に測定するため、使用者がレチクルの水平目盛り及び／又は垂直目盛りを使用時における水平方向及び垂直方向又は目的対象物に正確に一致させるようとすると、無理な姿勢をとる必要があり、使用者に過度の負担を強いることになる。
【０００７】
【特許文献１】特開２００５−３３８２９５号公報
【発明の開示】
【発明が解決しようとする課題】
【０００８】
この発明は、このような従来の問題点を解消し、レチクルの角度を所望のように調整することのできる眼幅調整機能付き光学機器を提供することを目的とする。
【課題を解決するための手段】
【０００９】
前記課題を解決するための手段として、
請求項１は、接眼光学系を装備した接眼光学部及び対物光学系を装備した対物光学部それぞれを有する一対の鏡筒と、前記一対の鏡筒を支持する支持体とを備え、前記支持体を中心軸として少なくとも一方の鏡筒が回動可能に構成されて成る眼幅調整機能付き光学機器であって、回動可能な少なくとも一方の前記鏡筒に設けられた接眼光学部は、レチクルと、前記レチクルを収納し、前記接眼光学系の光軸を中心軸として前記レチクルを回動させるレチクル回動手段と、前記光軸を中心軸として回動自在に設けられ、前記レチクル回動手段に係合して前記レチクル回動手段を回動するレチクル回動操作手段とを備えて成ることを特徴とする眼幅調整機能付き光学機器であり、
請求項２は、前記レチクル回動手段は、前記接眼光学系を内部に収納すると共に前記レチクルを装着し、前記光軸を中心軸として回動可能な接眼内筒と、前記接眼内筒の前記回動を所定の回転量に規制する接眼内筒回動規制手段を有するところの、前記接眼内筒を内部に収納し、前記光軸回転方向に回動不能な接眼外筒と、前記接眼内筒に設けられ、前記接眼内筒及び前記レチクル回動操作手段を係合する係合手段とを備えて成ることを特徴とする請求項１に記載の眼幅調整機能付き光学機器であり、
請求項３は、前記接眼内筒は、前記レチクルを収納し、前記係合手段を備えた第１の接眼内筒と、前記接眼光学系を内部に収納し、外周面に、接眼光学系移動手段を有する第２の接眼内筒とを備え、前記接眼外筒は、その内周面に前記接眼光学系移動手段と協働する接眼光学系移動手段を有し、前記光軸を中心軸として回動自在に前記第１の接眼内筒を収納し、かつ、前記光軸を中心軸として回動自在及び前記光軸方向に前後進可能に前記第２の接眼内筒を収納して成ることを特徴とする請求項２に記載の眼幅調整機能付き光学機器であり、
請求項４は、前記接眼光学部は、前記レチクル回動操作手段が前記光軸方向に前後進可能に装着され、かつ、前記レチクル回動操作手段及び前記接眼外筒の間に前記レチクル回動操作手段と一体になって前記光軸方向に前後進可能に装着され、前記レチクル回動操作手段の回動を不能にするレチクル回動不能手段を有するレチクル回動不能操作手段と、前記レチクル回動不能手段と所定の間隔を置いて設けられ、前記レチクル回動不能手段と係止する不能手段係止部を有する係止手段とを備えて成ることを特徴とする請求項１〜３のいずれか１項に記載の眼幅調整機能付き光学機器であり、
請求項５は、前記眼幅調整機能付き光学機器は、センターフォーカス型双眼鏡又は接眼単独繰り出し型双眼鏡であることを特徴とする請求項１〜４のいずれか1項に記載の眼幅調整機能付き光学機器である。
【発明の効果】
【００１０】
この発明によれば、眼幅調整機能付き光学機器における接眼光学部は、レチクルとレチクル回動手段とレチクル回動操作手段とを備えて成るから、レチクル回動操作手段を光軸を中心として回転させることによって、レチクル回動操作手段に係合したレチクル回動手段はレチクル回動操作手段と一体になって同方向に回動し、その結果、レチクル回動手段に収納されたレチクルはレチクル回動手段と一体になって同方向に回動する。したがって、この発明によれば、レチクル回動操作手段を操作することによって、レチクルの角度を所望のように調整することのできる眼幅調整機能付き光学機器を提供することができる。
【００１１】
また、この発明によれば、レチクル回動手段は、接眼内筒と接眼外筒と係合手段とを備えて成るから、レチクル回動操作手段を光軸を中心として回動させることによって、レチクル回動操作手段に係合した係合手段を介して接眼内筒は、レチクル回動操作手段及び係合手段と一体になって同方向に回動し、その結果、接眼内筒に装着されたレチクルが接眼内筒と一体になって同方向に回動する。したがって、この発明によれば、簡単な構造で、レチクルの角度を所望のように調整することのできる眼幅調整機能付き光学機器を提供することができる。
【００１２】
さらに、この発明によれば、接眼外筒に収納される接眼内筒は、第１の接眼内筒と第２の接眼内筒とを備えて成り、第２の接眼内筒の接眼光学系移動手段と接眼外筒の接眼光学系移動手段とによって、接眼光学系を収納した第２の接眼内筒を光軸方向に前後進させることができるうえ、接眼光学系の移動量を所望のように調整することができるから、視度を所望のように調整することができる。
【００１３】
また、この発明によれば、接眼光学部は、レチクル回動不能操作手段と係止手段とを備えて成るから、レチクルの角度を所望のように調整した後に、レチクル回動操作手段を光軸方向に前進させることにより、レチクル回動不能操作手段と係止手段とが係止し、所望の角度にレチクルを固定することができ、レチクル回動操作手段を光軸方向に後進させることにより、レチクルの固定を解除することができる。
【発明を実施するための最良の形態】
【００１４】
この発明の一実施例である眼幅調整機能付き光学機器の一例である双眼鏡を、図を用いて説明する。なお、図１及び図２は要部断面図であり、図１において、接眼光学部１０Ａ以外のハッチングを省略してある。
【００１５】
双眼鏡１は、図１に示されるように、一対の鏡筒２Ａ及び２Ｂと、支持体３とを備えて成る。一対の鏡筒２Ａ及び２Ｂはそれぞれ、接眼光学系１１を装備した接眼光学部１０Ａ及び１０Ｂをその一方の端部に装着し、かつ、対物光学系１３を装備した対物光学部１２を他方の端部に装着し、接眼光学系１１の光軸と対物光学系１３の光軸とが一致している。すなわち、接眼光学部１０Ａ、鏡筒２Ａ、対物光学系１３（図示しない。）及び対物光学部１２は同一の光軸２Ｃを有し、同様に、接眼光学部１０Ｂ、鏡筒２Ｂ、対物光学系１３及び対物光学部１２は同一の光軸２Ｄを有している。接眼光学系１１及び対物光学系１３はそれぞれ、接眼レンズ又は対物レンズを１つ又は２つ以上組み合わせて成る。接眼レンズ又は対物レンズの材質は接眼レンズ又は対物レンズに用いる公知の材質を使用できる。鏡筒２Ａ及び２Ｂ、対物光学系１３並びに対物光学部１２は、通常、光軸２Ｃ及び２Ｄに垂直な断面が略円形の筒体をなしている。支持体３は、一対の鏡筒２Ａ及び２Ｂを略中央部で支持し、一対の鏡筒２Ａ及び２Ｂの光軸２Ｃ及び２Ｄと略平衡の中心軸３Ａを有している。鏡筒２Ａ及び２Ｂ並びに支持体３には、鏡筒２Ａ及び２Ｂのピントを同時に調整することのできるセンターフォーカス機構が内蔵されている。センターフォーカス機構は公知の構成により達成することができるので、説明を省略する。
【００１６】
双眼鏡１は、支持体３の中心軸３Ａを中心軸として、少なくとも一方の鏡筒２Ａ又は２Ｂが、他方の鏡筒２Ｂ又は２Ａに対して、回動可能に構成されて成る。したがって、中心軸３Ａを中心軸としてその円周方向に少なくとも一方の鏡筒２Ａ又は２Ｂを回動させることによって、鏡筒２Ａの光軸２Ｃと鏡筒２Ｂの光軸２Ｄとが平行状態を維持しつつ、互いに接近し又は隔離することができる。双眼鏡１は、このように構成された眼幅調整機能を備えているから、使用者の眼幅に合わせて、光軸２Ｃ−中心軸３Ａ−光軸２Ｄがなす角を変化させながら、一対の鏡筒２Ａ及び２Ｂ間距離、すなわち、各鏡筒２Ａ及び２Ｂの光軸２Ｃ及び２Ｄ間距離を所望のように調整することができる。なお、双眼鏡１は、鏡筒２Ａ及び鏡筒２Ｂが共に支持体３を中心に回動可能に構成されていてもよい。
【００１７】
双眼鏡１は、図１及び図２に示されるように、一方の鏡筒２Ａに設けられた接眼光学部１０Ａが、レチクル２０と、レチクル回動手段４０と、レチクル回動操作手段７０とを含有してなるレチクル角度調整機構４を備えている。
【００１８】
レチクル２０は、例えば、図７に示されるように、透明な樹脂又はガラス製薄板等に、例えば、目的対象物までの距離が１０００ｍである場合に、その地点における１ｍが目盛り線の１単位に相当するように、直交する目盛り線２１が、略中心部に刻まれている。
【００１９】
レチクル回動手段４０は、レチクル２０を収納し、接眼光学系１０Ａの光軸２Ｃを中心軸としてレチクル２０を回動させる。レチクル回動手段４０は、具体的には、図１及び図２に示されるように、接眼光学系１１を内部に収納すると共にレチクル２０を装着し、光軸２Ｃを中心軸として回動可能な接眼内筒４１と、接眼内筒４１の回動を所定の回転量に規制する接眼内筒回動規制手段５１を有するところの、接眼内筒４１を内部に収納し、光軸を中心として回動不能な接眼外筒５０と、接眼内筒４１に設けられ、接眼内筒４１及びレチクル回動操作手段７０を係合する係合手段６５とを備えて成る。
【００２０】
接眼内筒４１は、図１及び図２に示されるように、断面が略円形の筒体をなし、両端部が開口している。接眼内筒４１は、周側面に係合手段６５が圧入される係合手段用穴４２が形成されている。また、接眼内筒４１における一方の端部には、接眼光学系１１の飛び出しを規制する規制片４３が円周方向にわたって中心方向に突出するように、設けられている。この接眼内筒４１は、規制片４３と、接眼内筒４１の内径よりもやや大きな外径を有する環状の開玉押え４４とによって、接眼光学系１１を所定の位置に収納している。
【００２１】
レチクル２０は、図１及び図２に示されるように、レチクル２０の外径よりもやや小さい内径を有し、一端に中心方向に突出する凸部を有する環状のレチクル枠２２に挿入され、さらに、環状のレチクル押え２３が挿入され、レチクル枠２２に固定される。このレチクル枠２２は、接眼内筒４１に装着された環状のレチクル外枠２４と、座金２７例えばワッシャーを介して、環状のレチクル枠押え２５とに挟持され、さらに、レチクル外枠２４の外周面に環状のレチクル外枠押え２６が装着され、強固に固定されている。このようにして、レチクル２０は、接眼内筒４１に装着されている。
【００２２】
接眼外筒５０は、図１及び図２、特に図３に詳細に示されるように、接眼内筒４１の外径とほぼ同じ内径を有する断面が略円形の筒体をなし、両端部が開口している。接眼外筒５０は、接眼内筒４１を収納したときに係合手段用穴４２に対応する外周面に、光軸２Ｃに対する垂直断面における円周方向に所定の中心角θとなるように延在し、接眼内筒４１の回動を所定の回転量に規制する接眼内筒回動規制手段５１、例えば、図３（ａ）により明確に示されるように、中心角θ（図３においては、１５０°）で延在し、外周面から内周面に貫通するスリット状のカム孔６０、が穿孔されている。接眼内筒回動規制手段５１は、その円周方向の長さによって、後述する係合手段６５の回動量を規制し、この係合手段６５に係合した接眼内筒４１の回動量を所定の回転量に規制する。接眼外筒５０は、一方の端部に、鏡筒２Ａ内に装入される拡径の装入部５２が形成され、かつ、接眼内筒回動規制手段５１と装入部５２との間に、鏡筒２Ａの端部に当接する鍔５３が形成されている。
【００２３】
係合手段６５は、図１及び図２に示されるように、接眼内筒回動規制手段５１を貫通し、その両側に位置する接眼内筒４１及び後述するレチクル回動操作手段７０を係合する。係合手段６５は、接眼内筒４１とレチクル回動操作手段７０とを係合することができればよく、例えば、棒状体、柱状体、錐状体等であってもよい。係合手段６５は、接眼内筒４１に装着されたときに、接眼外筒５０の外周面に突出する長さ、大きさに形成されていればよい。係合手段６５の一例として、図１及び図２には、拡径した頭部を有する棒状体６６が示されている。
【００２４】
レチクル回動操作手段７０は、光軸２Ｃを中心軸として回動自在に設けられ、レチクル回動手段４０、図１及び図２に示される双眼鏡１においては、係合手段６５に係合して、レチクル回動手段４０を回動する。レチクル回動操作手段７０は、棒状体６６の頭部を装入し、棒状体６６と係合する係合溝７１が軸方向に延在して内周面に設けられた内環７２と、内環７２の外径とほぼ同じ内径を有する外環７３とを備えて成る。外環７３は、図２に示されるように、後述する保持筒５４と係止する係止部７４が、一方の端面から円周方向にわたって中心方向に突出するように、設けられている。双眼鏡１において、レチクル回動操作手段７０は、内環７２と外環７３とを備えた環状体とされている。
【００２５】
接眼光学部１０Ａは、図１及び図２に示されるように、構成されている。すなわち、接眼内筒４１は、接眼光学系１１を内部に収納すると共にレチクル２０を装着した状態で、接眼外筒５０の内部に収納され、接眼内筒４１の外周面と接眼外筒５０の内周面とが当接している。
【００２６】
接眼外筒５０は、鏡筒２Ａの一方の端部に、接眼内筒４１をその内部に回動自在に収納した状態又は接眼内筒４１を未収納状態で、鏡筒２Ａ内に鍔５３が鏡筒２Ａの端部に装入部５２が当接するまで、挿入され、鏡筒２Ａに装着されている。したがって、接眼外筒５０は、光軸２Ｃを中心軸として回動不能に成っている。
【００２７】
棒状体６６は、図１及び図２に示されるように、接眼外筒５０の接眼内筒回動規制手段５１を貫通して、棒状体６６の頭部が接眼外筒５０の外周面に当接又は僅かな間隙を有するまで、接眼内筒４１の外周面に形成された係合手段用穴４２に圧入され、接眼内筒４１に装着されている。
【００２８】
これにより、接眼外筒５０は鏡筒２Ａの端部に固定され、接眼内筒４１は棒状体６６に係合し、他の部材には固定されていないから、棒状体６６が接眼内筒回動規制手段５１内を移動することにより、接眼内筒４１は棒状体６６と一体となって光軸２Ｃを中心軸として回動自在に、接眼外筒５０に収納されている。
【００２９】
レチクル回動操作手段７０は、接眼外筒５０の外周面に突出した棒状体６６の頭部が内環７２の係合溝７１に係合するように、鏡筒２Ａに装着されたレチクル回動手段４０、すなわち、接眼外筒５０の外周に配置され、接眼内筒５０の外周面と内環７２の内表面とが当接し又はわずかな間隙を置いて、装着されている。また、レチクル回動操作手段７０は、その外環７３の係止部７４が保持筒５４の先端部に係止し、接眼外筒５０の外周から抜けないように、装着されている。これにより、レチクル回動操作手段７０は光軸２Ｃを中心として回動自在になっている。
【００３０】
このように構成されて成るレチクル角度調整機構４は、その外部を覆うように、円筒状のゴム製カバー１４が設けられている。このカバー１４は、また、使用時に使用者の眼を保護する目当ての役割をも有する。
【００３１】
このように構成されたレチクル角度調整機構４の作用について説明する。双眼鏡１は、使用者の眼幅に合わせて、鏡筒２Ａ及び／又は鏡筒２Ｂを所定量回動させ、一対の鏡筒２Ａ及び２Ｂ間距離を所望のように調整する。
【００３２】
レチクル２０の角度を調整するには、まず、レチクル回動操作手段７０を２Ｃを中心軸として回動させる。レチクル回動操作手段７０が回動すると、レチクル回動操作手段７０の内環７２に形成された係合溝７１に挿入され、レチクル回動操作手段７０に係合した棒状体６６が、接眼外筒５０に穿設された接眼内筒回動規制手段５１（カム孔６０）における円周方向の長さの範囲内において、レチクル回動操作手段７０と一体になって、カム孔６０内を同方向に回動する。ここで、接眼外筒５０は、鏡筒２Ａに回動不能に装着されているから、レチクル回動操作手段７０の回動によって、接眼外筒５０のカム孔６０が回動することもなく、棒状体６６が回動する範囲は常に一定である（前記したとおり、双眼鏡１においては、１５０°の中心角θの範囲で回動する。）。棒状体６６が回動すると、棒状体６６が係合手段用穴４２に圧入して装着された接眼内筒４１も棒状体６６と一体になって同方向に回動する。すなわち、接眼内筒４１は棒状体６６及びレチクル回動操作手段７０と一体になって同方向に回動する。接眼内筒４１が回動すると、接眼内筒４１に装着されたレチクル２０が接眼内筒４１と一体になって同方向に回動する。レチクル２０が回動して、所望の角度になったときに、レチクル回動操作手段７０の回動を停止する。
【００３３】
このように、双眼鏡１によれば、簡単な構造で、レチクル２０の角度を所望のように調整することができる。したがって、使用者の眼幅に合わせて一対の鏡筒２Ａ及び２Ｂを所望のように回転して鏡筒間距離を調整しても、レチクル２０は回動可能に成っているから、所望のようにレチクル２０を回動させ、レチクル２０に刻まれた目盛り線２１を所望のように、目的対象物に合わせることができ、その結果、目的対象物の長さ、目的対象物までの距離を正確に測定することができ、また、使用者に過度の負担を強いることもない。
【００３４】
双眼鏡１における鏡筒２Ｂの接眼光学部１０Ｂは、図１に示されるように、公知の視度調節機構、例えば、特開２００５−３０１０７８号公報に記載の視度調節機構が設けられている。
【００３５】
次に、この発明の一実施例である眼幅調整機能付き光学機器の別の一例である双眼鏡１００を、図を用いて説明する。なお、図４及び図５は要部断面図であり、図４において、接眼光学部１０Ｃ以外のハッチングを省略してある。
【００３６】
双眼鏡１００は、図４に示されるように、双眼鏡１と基本的に同様に構成され、鏡筒２Ａの接眼光学部１０Ａに代わって接眼光学部１０Ｃを備えている点が、双眼鏡１と異なる。したがって、双眼鏡１と同様の構成及び機能についての説明は省略する。なお、図４及び図５において、図１〜図３と同じ符号が付されている部材は、双眼鏡１の部材と基本的に同じ部材を示す。
【００３７】
双眼鏡１００は、図４及び図５に示されるように、一方の鏡筒２Ａに設けられた接眼光学部１０Ｃが、レチクル２０とレチクル回動手段１２０とレチクル回動操作手段１１０とを含有してなるレチクル角度調整兼角度固定及び視度調節機構５を備えている。
【００３８】
レチクル回動手段１２０は、レチクル２０を収納し、鏡筒２Ａの光軸２Ｃを中心軸としてレチクル２０を回動させる。レチクル回動手段１２０は、具体的には、図４及び図５に示されるように、接眼光学系１１を内部に収納すると共にレチクル２０を装着し、光軸２Ｃを中心軸として回動可能な接眼内筒１３０と、接眼内筒１３０の回動を所定の回転量に規制する接眼内筒回動規制手段５１を有するところの、接眼内筒１３０を内部に収納し、光軸を中心軸として回動不能な接眼外筒１４０と、接眼内筒１３０に設けられ、接眼内筒１３０及びレチクル回動操作手段１１０を係合する係合手段６５とを備えて成る。
【００３９】
接眼内筒１３０は、より具体的には、図４及び図５に示されるように、レチクル２０を収納し、係合手段６５を備えた第１の接眼内筒１３１と、接眼光学系１１を内部に収納し、外周面に、接眼光学系移動手段１３３を有する第２の接眼内筒１３２とを備え、接眼外筒１４０は、その内周面に接眼光学系移動手段１３３と協働する接眼光学系移動手段１４１を有し、光軸２Ｃを中心軸として回動自在に第１の接眼内筒１３１を収納し、かつ、光軸２Ｃを中心軸として回動自在及び光軸方向に前後進可能に、第２の接眼内筒１３２を収納して成る。
【００４０】
さらに、接眼光学部１０Ｃは、図４及び図５に示されるように、レチクル回動操作手段１１０が光軸方向に前後進可能に装着され、かつ、レチクル回動操作手段１１０及び接眼外筒１４０の間にレチクル回動操作手段１１０と一体になって光軸方向に前後進可能に装着され、レチクル回動操作手段１１０の回動を不能にするレチクル回動不能手段１５３を有するレチクル回動不能操作手段１５０と、レチクル回動不能手段１５３と所定の間隔を置いて設けられ、レチクル回動不能手段１５３と係止する不能手段係止部１６１を有する係止手段１６０とを備えて成る。
【００４１】
レチクル角度調整兼角度固定及び視度調節機構５は、このように構成されている。以下に、レチクル角度調整兼角度固定及び視度調節機構５を詳細に説明する。
【００４２】
第２の接眼内筒１３２は、図４及び図５に示されるように、接眼内筒４１と同様に、両端部が開口した略円形の筒体をなし、一方の端部には、接眼光学系１１の飛び出しを規制し、接眼光学系１１を回動する規制回動片１３４が円周方向にわたって中心方向に突出するように、設けられている。また、第２の接眼内筒１３２は、その外周面に接眼光学系移動手段１３３、例えば、雄螺子等の第１螺子が形成されている。第２の接眼内筒１３２は、規制回動片１３４と開玉押え４４とによって、接眼光学系１１を所定の位置に収納している。
【００４３】
第１の接眼内筒１３１は、図４及び図５に示されるように、断面が略円形の筒体をなし、両端部が開口している。第１の接眼内筒１３１は、周側面に係合手段６５が圧入される係合手段用穴４２が形成されている。また、第１の接眼内筒１３１における一方の端部には、レチクル枠２２の飛び出しを規制する規制片１３５が円周方向にわたって中心方向に突出するように、設けられている。
【００４４】
レチクル２０は、双眼鏡１におけるレチクル２０と基本的に同様である。このレチクル２０は、図４及び図５に示されるように、双眼鏡１の場合と同様に、環状のレチクル枠２２に挿入され、さらに、環状のレチクル押え２３が挿入され、レチクル枠２２とレチクル押え２３とに挟持され、レチクル枠２２に固定されている。このレチクル枠２２は、規制片１３５とレチクル枠押え１３６とに挟持され、第１の接眼内筒１３１に強固に固定されている。
【００４５】
このように、接眼内筒１３０は、第１の接眼内筒１３１と第２の接眼内筒１３２とを備え、接眼光学系１０Ｃを内部に収納すると共にレチクル２０を装着している。
【００４６】
接眼外筒１４０は、図４及び図５に示されるように、接眼外筒５０と基本的に同様に形成されており、その外周面に接眼内筒回動規制手段５１、例えば、カム孔６０が穿孔され、一方の端部に装入部５２が形成され、さらに、カム孔６０と装入部５２との間に鍔５３が形成されている。接眼内筒回動規制手段５１は、その円周方向の長さによって、係合手段６５の回動量を規制し、この係合手段６５に係合した第１の接眼内筒１３１の回動量を所定の回転量に規制する。
【００４７】
接眼外筒１４０は、図４及び図５に示されるように、その外周面に、後述する係合片１５５と係合し、後述するレチクル回動不能操作手段１５０を固定する固定溝１４２Ａ及び１４２Ｂが、所定の間隔を置いて、外周面を周方向に一巡するように、それぞれ設けられている。固定溝１４２Ａ及び１４２Ｂの太さ、深さは、後述する係合片１５５が係合することのできる太さ、深さに形成されている。また、接眼外筒１４０は、その内周面に、接眼光学系移動手段１３３と協働する接眼光学系移動手段１４１、例えば、雌螺子等の第２螺子が形成されている。
【００４８】
係合手段６５は、双眼鏡１における係合手段６５と基本的に同様であり、図４及び図５に示されるように、接眼内筒回動規制手段５１を貫通し、その両側に位置する第１の接眼内筒１３１と、後述するレチクル回動不能操作手段１５０を介してレチクル回動操作手段１１０とを係合する。
【００４９】
レチクル回動不能操作手段１５０は、両端部が開口した、断面が略円形の筒体をなしている。このレチクル回動不能操作手段１５０は、一定の内径を有する胴部と、胴部から一方の端部に向けて胴部よりも内径が縮小し、かつ、接眼外筒１４０の外径とほぼ一致する内径を有する縮径部１５１と、他方の端部近傍には、拡径したフランジ状の鍔１５２とを有している。鍔１５２の、胴体と反対側の面には、その全周にわたってレチクル回動不能手段１５３、例えば、複数の歯、突起物等の係止部が形成されている。レチクル回動不能操作手段１５０は、接眼外筒１５０の外周に配置された場合に、レチクル回動不能手段１５３と後述する係止手段の不能手段係止部１６１との距離が、固定溝１４２Ａと固定溝１４２Ｂとの距離と同じ距離になるように、レチクル回動不能操作手段１５０の全長が設定されている。
【００５０】
レチクル回動不能操作手段１５０は、胴部の周側面に、その端部から胴部にかけて、係合手段６５を挿入可能な切欠き部１５４が所定の大きさに形成され、この切欠き部１５４に隣接して、縮径部１５１に所定の大きさを有する係合片収納口１５７が形成されている。また、レチクル回動不能操作手段１５０は、胴部の周側面における切欠き部１５４とは別の位置に、所定の大きさを有する開口部１５８が形成されている。
【００５１】
レチクル回動不能操作手段１５０の係合片収納口１５７には、係合片１５５、例えば、球体、柱体等が配置され、係合片１５５は、接眼外筒１４０の固定溝１４２Ａ及び１４２Ｂに係合し、レチクル回動不能操作手段１５０の位置を固定する。係合片１５５は、プラスチック、金属等の硬い材質、ゴム等の弾性を有する部材で形成される。
【００５２】
レチクル回動不能操作手段１５０の開口部１５８には、付勢手段１５６、例えば、板バネが配置される。付勢手段１５６は、係合片１５５を光軸２Ｃ方向、すなわち、接眼外筒１４０方向に付勢する。付勢手段１５６は、板バネの他に、コイルバネ、ゴム等の弾性体等、公知の付勢手段が選択される。
【００５３】
係止手段１６０は、環状に形成され、一方の面に、レチクル回動不能手段１５３と係止する不能手段係止部１６１、例えば、複数の歯、突起物等の係止部が形成されている。なお、この係止手段１６０は、接眼外筒１４０と一体に形成されてもよく、例えば、鍔５３の先端部に形成された不能手段係止部１６１を有する接眼外筒１４０とされてもよい。
【００５４】
レチクル回動操作手段１１０は、所定の内径を有し、双眼鏡１のレチクル回動操作手段７０よりも狭い幅を有する環状体に形成され、レチクル回動不能操作手段１５０に装着される。
【００５５】
接眼光学部１０Ｃは、図４及び図５に示されるように、構成されている。すなわち、第１の接眼内筒１３１は、レチクル２０を装着した状態で、接眼外筒１４０における内部の奥側すなわち対物光学部１２側に収納され、第１の接眼内筒１３１の外周面と接眼外筒１４０の内周面とが当接している。
【００５６】
第２の接眼内筒１３２は、接眼光学系１１を内部に収納した状態で、接眼外筒１４０における内部手前側に、第２の接眼内筒１３２における接眼光学系移動手段１３３と接眼外筒１４０における接眼光学系移動手段１４１とを螺合することによって、収納されている。
【００５７】
接眼外筒１４０は、鏡筒２Ａの一方の端部に、接眼内筒１３０を収納した状態で、装入部５２が鏡筒２Ａ内に鍔５３が鏡筒２Ａの端部に当接するまで、装入され、鏡筒２Ａに装着されている。したがって、接眼外筒１４０は、光軸２Ｃを中心軸として回動不能及び光軸２Ｃ方向に前後進不能に成っている。
【００５８】
棒状体６６は、図４及び図５に示されるように、接眼外筒１４０の接眼内筒回動規制手段５１を貫通して、棒状体６６の頭部が接眼外筒１４０の外周面に当接又は僅かな間隙を有するまで、第１の接眼内筒１３１の外周面に形成された係合手段用穴４２に圧入され、第１の接眼内筒１３１に装着されている。
【００５９】
これにより、接眼外筒１４０は鏡筒２Ａの端部に固定され、第１の接眼内筒１３１は棒状体６６に係合し、他の部材には固定されていないから、棒状体６６が接眼内筒回動規制手段５１内を移動することにより、第１の接眼内筒１３１は、棒状体６６と一体となって光軸２Ｃを中心軸として回動自在に、接眼外筒１４０に収納されている。また、第２の接眼内筒１３２は、接眼外筒１４０の接眼光学系移動手段１４１に螺合し、他の部材には固定されていないから、接眼光学系移動手段１４１と接眼光学系移動手段１３３との螺合を調節することにより、第２の接眼内筒１３２は、光軸２Ｃを中心軸として回動自在に、かつ、光軸方向に前後進可能に収納されている。
【００６０】
係止手段１６０は、図４及び図５に示されるように、接眼外筒１４０の鍔５３に当接するように、接眼外筒１４０の外周に配置され、鏡筒２Ａ又は接眼外筒１４０に装着されている。
【００６１】
レチクル回動不能操作手段１５０は、図４及び図５に示されるように、切欠き部１５４に棒状体６６の頭部が収納されるように、鍔１５２側から接眼外筒１４０の外周に配置される。このようにして、レチクル回動不能操作手段１５０と棒状体６６の頭部とが係合し、不能係止手段１６１とレチクル回動不能手段１５３とが対向し、かつ、接眼外筒１４０の外周面と縮径部１５１とが当接する。
【００６２】
球状の係合片１５５は、図４及び図５に示されるように、レチクル回動不能操作手段１５０の係合片収納口１５７に配置され、板バネ１５６は、係合片１５５を接眼外筒１４０側に付勢するように、開口部１５８に配置されている。図４及び図５に示される状態は、板バネ１５６によって接眼外筒１４０側に付勢された係合片１５５が、接眼外筒１４０の外周面に形成された固定溝１４２Ａに係合した状態であり、この状態においては、係止手段１６０の不能手段係止部１６１と、レチクル回動不能操作手段１５０のレチクル回動不能手段１５３とは、対向しているものの、係止していない。不能手段係止部１６１とレチクル回動不能手段１５３との距離とは、固定溝１４２Ａと固定溝１４２Ｂとの距離と同じ距離に設定されている。
【００６３】
レチクル回動操作手段１１０は、図４及び図５に示されるように、レチクル回動不能操作手段１５０の外周面上に位置し、レチクル回動不能操作手段１５０に装着されている。これにより、レチクル回動操作手段１１０は光軸２Ｃを中心として回動自在、かつ、光軸２Ｃ方向に前後進可能になっている。したがって、レチクル回動不能操作手段１５０は、レチクル回動操作手段１１０と接眼外筒１４０との間に装着され、レチクル回動操作手段１１０と一体になって、光軸２Ｃを中心として回動自在、かつ、光軸２Ｃ方向に前後進可能になっている。
【００６４】
このように構成されて成るレチクル角度調整兼角度固定及び視度調節機構５は、その外部を覆うように、円筒状のゴム製カバー１４が設けられている。このカバー１４は、また、使用時に使用者の眼を保護する目当ての役割をも有する。
【００６５】
このように構成されたレチクル角度調整兼角度固定及び視度調節機構５の作用について説明する。双眼鏡１００は、使用者の眼幅に合わせて、鏡筒２Ａ及び／又は鏡筒２Ｂを所定量回動させ、一対の鏡筒２Ａ及び２Ｂ間距離を所望のように調整する。
【００６６】
レチクル２０の角度を調整するには、まず、レチクル回動操作手段１１０を光軸２Ｃ方向に後進させて、レチクル回動操作手段１１０と一体になって後進するレチクル回動不能操作手段１５０を同様に後進させる。そうすると、図４及び図５に示されるように、係合片１５５と固定溝１４２Ａとが係合した状態になり、この状態では、不能手段係止部１６１とレチクル回動不能手段１５３とが係止していないから、レチクル回動操作手段１１０は２Ｃを中心軸として回動自在となる。
【００６７】
この状態において、レチクル回動操作手段１１０を、２Ｃを中心軸として回動させる。レチクル回動操作手段１１０が回動すると、レチクル回動操作手段１１０が装着されたレチクル回動不能操作手段１５０も一体となって同方向に回動する。レチクル回動不能操作手段１５０が回動すると、レチクル回動不能操作手段１５０の切欠き部１５４に頭部が収納され、レチクル回動不能操作手段１５０に係合した棒状体６６は、接眼外筒１４０に穿設された接眼内筒回動規制手段５１における円周方向の長さの範囲内において、レチクル回動操作手段１１０と一体になって、接眼内筒回動規制手段５１内を同方向に回動する。ここで、接眼外筒１４０は、鏡筒２Ａに回動不能に装着されているから、レチクル回動操作手段１１０及びレチクル回動不能操作手段１５０の回動によって、接眼内筒回動規制手段５１が回動することはなく、棒状体６６が回動する範囲は常に一定となる。そして、棒状体６６が回動すると、棒状体６６が係合手段用穴４２に圧入して装着された第１の接眼内筒１３１も、棒状体６６と一体になって、同方向に回動する。すなわち、第１の接眼内筒１３１は、レチクル回動操作手段１１０、レチクル回動不能操作手段１５０及び棒状体６６と一体になって、同方向に回動する。第１の接眼内筒１３１が回動すると、第１の接眼内筒１３１に装着されたレチクル２０が第１の接眼内筒１３１と一体になって同方向に回動する。レチクル２０が回動して、所望の角度になったときに、レチクル回動操作手段１１０の回動を停止する。このようにして、レチクル２０の角度を所望のように調整することができる。なお、第２の接眼内筒１３２は、第１の接眼内筒１３１とは独立に接眼外筒１４０に収納されているから、レチクル回動操作手段１１０の回動によって第１の接眼内筒１３１等が回動しても、第２の接眼内筒１３２は、回動することもなく、不動である。
【００６８】
レチクル２０の角度を所望のように調整したら、レチクル回動操作手段１１０を、図４の矢印Ａに示される光軸２Ｃ方向に前進させる。図６に示されるように、レチクル回動操作手段１１０がこの方向に前進すると、レチクル回動操作手段１１０が装着されたレチクル回動不能操作手段１５０も一体となって同方向に前進する。そうすると、係合片１５５と固定溝１４２Ａとの係合状態が解除され、係合片１５５もレチクル回動不能操作手段１５０と一体となって同方向に前進し、最終的に、係合片１５５は固定溝１４２Ｂと係合した状態になる。なお、レチクル回動不能操作手段１５０が同方向に前進しても、切欠き部１５４は、レチクル回動不能操作手段１５０の端部から胴部にかけて棒状体６６の頭部が相対的に移動可能な所定の大きさを有しているから、棒状体６６は不動である。
【００６９】
不能手段係止部１６１とレチクル回動不能手段１５３との距離とは、固定溝１４２Ａと固定溝１４２Ｂとの距離と同じ距離に設定されているから、図６に示されるように、係合片１５５が固定溝１４２Ｂと係合した状態においては、不能手段係止部１６１とレチクル回動不能手段１５３とが係止し、レチクル回動不能手段１５３は回動不能となっているから、レチクル回動操作手段１１０は回動不能となる。このようにして、所望のように調整したレチクル２０の角度を固定することができる。
【００７０】
双眼鏡１００は、レチクル２０の角度を所望のように調整する前、レチクル２０の角度を所望のように調整した後、又は、所望のように調整したレチクル２０の角度を固定した後に、視度を調整することができる。視度は、使用者の視力に応じて、接眼光学系１１のジオプトリーを調節することによって、調整される。視度の調整は、カバー１４内に位置する第２の接眼内筒１３２における規制回動片１３４を、光軸２Ｃを中心軸として回動させることによって行われる。第２の接眼内筒１３２は、接眼光学系移動手段１３３と接眼光学系移動手段１４１とが螺合して、光軸２Ｃを中心軸として回動自在に、かつ、光軸方向に前後進可能に収納されているから、規制回動片１３４を光軸２Ｃを中心軸として回動させると、第２の接眼内筒１３２も同方向に回動し、これによって、第２の接眼内筒１３２は、光軸方向に前後進する。このようにして、視度を所望のように調整することができる。
【００７１】
このように、双眼鏡１００によれば、簡単な構造で、レチクル２０の角度を所望のように調整し、所望のように調整したレチクル２０の角度を固定することができ、かつ、視度をも所望のように調整することができる。したがって、使用者の眼幅に合わせて一対の鏡筒２Ａ及び２Ｂを所望のように回転して鏡筒間距離を調整しても、レチクル２０は回動可能に成っているから、所望のようにレチクル２０を回動させ、レチクル２０に刻まれた目盛り線２１を所望のように、目的対象物に合わせることができると共に、視度をも調整することができ、その結果、目的対象物の長さ、目的対象物までの距離を正確に測定することができ、また、使用者に過度の負担を強いることもない。
【００７２】
双眼鏡１及び１００は何れも、鏡筒２Ａ及び２Ｂのピントを同時に調整することのできるセンターフォーカス機構が内蔵されたセンターフォーカス型双眼鏡であるが、双眼鏡１及び１００は、鏡筒２Ａ及び２Ｂのピントを別々に調整する繰り出し機構、例えば、接眼単独繰り出し機構を内蔵した繰り出し型双眼鏡、例えば、接眼単独繰り出し型双眼鏡であってもよい。
【図面の簡単な説明】
【００７３】
【図１】図１は、この発明の一実施例である眼幅調整機能付き光学機器の一例である双眼鏡を示す要部断面図である。
【図２】図２は、図１に示された双眼鏡の接眼光学部を示す要部拡大断面図である。
【図３】図３は、図１に示された双眼鏡に装備された接眼外筒を示す図であり、図３（ａ）は接眼外筒の側面図であり、図３（ｂ）は接眼外筒の正面図である。
【図４】図４は、この発明の一実施例である眼幅調整機能付き光学機器の別の一例である双眼鏡を示す要部断面図である。
【図５】図５は、レチクル角度を調節可能な状態における、図４に示された双眼鏡の接眼光学部を示す要部拡大断面図である。
【図６】図６は、レチクル角度を固定した状態における、図４に示された双眼鏡の接眼光学部を示す要部拡大断面図である。
【図７】図７は、レチクルの一例を示す正面図である。
【符号の説明】
【００７４】
１、１００  双眼鏡
２Ａ、２Ｂ  鏡筒
２Ｃ、２Ｄ  光軸
３  支持体
４  レチクル角度調整機構
５  レチクル角度調整兼角度固定及び視度調節機構
１０Ａ、１０Ｂ、１０Ｃ  接眼光学部
１１  接眼光学系
１２  対物光学部
１３  対物光学系
１４  カバー
２０  レチクル
２１  目盛り線
２２  レチクル枠
２３  レチクル押え
２４  レチクル外枠
２５  レチクル枠押え
２６  レチクル外枠押え
２７  座金
４０、１２０  レチクル回動手段
４１、１３０  接眼内筒
４２  係合手段用穴
４３  規制片
４４  開玉押え
５０、１４０  接眼外筒
５１  接眼内筒回動規制手段
５２  装入部
５３、１５２  鍔
５４  保持筒
６０  カム孔
６５  係合手段
６６  棒状体
７０  レチクル回動操作手段
７１  係合溝
７２  内環
７３  外環
７４  係止部
１１０  レチクル回動操作手段
１３１  第１の接眼内筒
１３２  第２の接眼内筒
１３３  接眼光学系移動手段
１３４  規制回動片
１３５  規制片
１３６  レチクル枠押え
１４１  接眼光学系移動手段
１４２Ａ、１４２Ｂ  固定溝
１５０  レチクル回動不能操作手段
１５１  縮径部
１５３  レチクル回動不能手段
１５４  切欠き部
１５５  係合片
１５６  付勢手段
１５７  係合片収納口
１５８  開口部
１６０  係止手段
１６１  不能手段係止部
【図１】
2007212497.tif 000003
【図２】
2007212497.tif 000004
【図３】
2007212497.tif 000005
【図４】
2007212497.tif 000006
【図５】
2007212497.tif 000007
【図６】
2007212497.tif 000008
【図７】
2007212497.tif 000009